(57)【要約】  セルラ通信ネットワークにおける、フレキシブルスペクトル、または帯域幅、サポートのためのシステムおよび方法が、開示される。一実施形態で、セルラ通信ネットワークのための基地局は、非標準化帯域幅搬送波と、標準化帯域幅を識別する情報と、標準化帯域幅を識別する情報とともに非標準化帯域幅搬送波の非標準化帯域幅を定義する追加の情報とを送信するように構成される。一実施形態で、その追加の情報は、非標準化帯域幅を定義する標準化帯域幅の帯域幅調整を定義する。一実施形態で、帯域幅調整は、対称的帯域幅制限である。もう１つの実施形態で、帯域幅調整は、非対称的帯域幅制限である。さらにもう１つの実施形態で、帯域幅調整は、対称的帯域幅拡張である。さらにもう１つの実施形態で、帯域幅調整は、非対称的帯域幅拡張である。【選択図】図６
2016500991.tif 000002
【特許請求の範囲】
【請求項１】
セルラ通信ネットワーク（１０）の基地局（１２）であって、
無線サブシステム（２８）と、
前記無線サブシステム（２８）と関連付けられ、非標準化帯域幅搬送波（２０、２４）、および、標準化帯域幅を識別する情報、および、前記標準化帯域幅を識別する前記情報とともに前記非標準化帯域幅搬送波（２０、２４）の非標準化帯域幅を定義する追加の情報を前記無線サブシステム（２８）を介して送信するように構成された、処理サブシステム（３０）と
を備える、基地局（１２）。
【請求項２】
前記標準化帯域幅が前記非標準化帯域幅より大きく、前記追加の情報が、前記非標準化帯域幅を提供するために前記標準化帯域幅の周波数リソースの使用を制限する情報である、請求項１に記載の基地局（１２）。
【請求項３】
前記標準化帯域幅が前記非標準化帯域幅より小さく、前記追加の情報が、前記非標準化帯域幅を提供するために前記標準化帯域幅の周波数リソースを拡張する情報である、請求項１に記載の基地局（１２）。
【請求項４】
前記追加の情報が、前記非標準化帯域幅を提供するために前記標準化帯域幅の対称的帯域幅調整を定義する、請求項１に記載の基地局（１２）。
【請求項５】
前記標準化帯域幅が前記非標準化帯域幅より大きく、前記対称的帯域幅調整が、前記標準化帯域幅の上端および下端の両方の周波数リソースの対称的制限である、請求項４に記載の基地局（１２）。
【請求項６】
前記標準化帯域幅が前記非標準化帯域幅より小さく、前記対称的帯域幅調整が、前記標準化帯域幅の上端および下端の両方の周波数リソースの対称的拡張である、請求項４に記載の基地局（１２）。
【請求項７】
同期信号およびシステムブロードキャストチャネルが、前記非標準化帯域幅搬送波（２０、２４）の中央にある周波数リソースで送信される、請求項４に記載の基地局（１２）。
【請求項８】
前記セルラ通信ネットワーク（１０）が、ロングタームエボリューション（ＬＴＥ）セルラ通信ネットワークであり、プライマリおよびセカンダリ同期信号と物理ブロードキャストチャネル（ＰＢＣＨ）とが、前記非標準化帯域幅搬送波（２０、２４）の中央にある周波数リソースで送信される、請求項４に記載の基地局（１２）。
【請求項９】
チャネル状態情報参照シンボル（ＣＳＩ−ＲＳ）が、前記非標準化帯域幅搬送波（２０、２４）の全帯域幅にわたる、請求項８に記載の基地局（１２）。
【請求項１０】
前記追加の情報が、前記非標準化帯域幅を提供するために前記標準化帯域幅の非対称的帯域幅調整を定義する、請求項１に記載の基地局（１２）。
【請求項１１】
前記標準化帯域幅が前記非標準化帯域幅より大きく、前記非対称的帯域幅調整が、前記標準化帯域幅の上端および下端の周波数リソースの非対称制限である、請求項１０に記載の基地局（１２）。
【請求項１２】
前記標準化帯域幅が前記非標準化帯域幅より大きく、前記非対称的帯域幅調整が、前記標準化帯域幅の上端および下端の周波数リソースの非対称的拡張である、請求項１０に記載の基地局（１２）。
【請求項１３】
同期信号およびシステムブロードキャストチャネルが、前記非標準化帯域幅搬送波（２０、２４）の中央からオフセットされた周波数リソースで送信される、請求項１０に記載の基地局（１２）。
【請求項１４】
前記セルラ通信ネットワーク（１０）が、ロングタームエボリューション（ＬＴＥ）セルラ通信ネットワークであり、そして、プライマリおよびセカンダリ同期信号と物理ブロードキャストチャネル（ＰＢＣＨ）とが、前記非標準化帯域幅搬送波（２０、２４）の中央からオフセットされた周波数リソースで送信される、請求項１０に記載の基地局（１２）。
【請求項１５】
同期信号およびシステムブロードキャストチャネルが、前記標準化帯域幅の中央にある周波数リソースで送信される、請求項１０に記載の基地局（１２）。
【請求項１６】
前記セルラ通信ネットワーク（１０）が、ロングタームエボリューション（ＬＴＥ）セルラ通信ネットワークであり、そして、プライマリおよびセカンダリ同期信号と物理ブロードキャストチャネル（ＰＢＣＨ）とが、前記標準化帯域幅の中央にある周波数リソースで送信される、請求項１０に記載の基地局（１２）。
【請求項１７】
前記プライマリおよび前記セカンダリ同期信号とＰＢＣＨとが送信される前記周波数リソースが、プライマリおよびセカンダリ同期信号およびＰＢＣＨが１つまたは複数の周辺のセル（１８）で送信される周波数リソースとは異なるように、前記非対称的帯域幅調整が選択される、請求項１６に記載の基地局（１２）。
【請求項１８】
前記処理サブシステム（３０）が、前記無線サブシステム（２８）を介して、前記非標準化帯域幅搬送波（２４）に加えて標準化帯域幅搬送波（２２）を送信するようにさらに構成された、請求項１に記載の基地局（１２）。
【請求項１９】
前記非標準化帯域幅搬送波（２４）が、独立型搬送波である、請求項１８に記載の基地局（１２）。
【請求項２０】
前記セルラ通信ネットワーク（１０）が、ロングタームエボリューション（ＬＴＥ）セルラ通信ネットワークであり、前記標準化帯域幅搬送波（２２）および前記非標準化帯域幅搬送波（２４）の各々が、プライマリ同期信号、セカンダリ同期信号、および物理ブロードキャスト制御チャネル（ＰＢＣＨ）を備える、請求項１９に記載の基地局（１２）。
【請求項２１】
前記非標準化帯域幅搬送波（２４）が、独立型搬送波ではない、請求項１８に記載の基地局（１２）。
【請求項２２】
前記処理サブシステム（３０）がさらに、前記標準化帯域幅搬送波（２２）で、前記標準化帯域幅を識別する前記情報と、前記非標準化帯域幅搬送波（２４）の前記非標準化帯域幅を定義する前記追加の情報とを送信するように構成された、請求項２１に記載の基地局（１２）。
【請求項２３】
前記セルラ通信ネットワーク（１０）が、ロングタームエボリューション（ＬＴＥ）セルラ通信ネットワークであり、そして、前記標準化帯域幅搬送波信号が、プライマリ同期信号、セカンダリ同期信号、および物理ブロードキャスト制御チャネル（ＰＢＣＨ）を備えるが、前記非標準化帯域幅搬送波（２４）が、プライマリ同期信号、セカンダリ同期信号、およびＰＢＣＨを備えない、請求項２２に記載の基地局（１２）。
【請求項２４】
前記非標準化帯域幅搬送波（２４）および前記標準化帯域幅搬送波（２２）が、同期される、請求項２１に記載の基地局（１２）。
【請求項２５】
前記非標準化帯域幅搬送波（２０、２４）が、標準化帯域幅搬送波のみをサポートするワイヤレスデバイス（１６）が標準化帯域幅搬送波として標準化帯域幅に対応する前記非標準化帯域幅搬送波（２０、２４）のセクションにアクセスすることを可能にされるような、請求項１に記載の基地局（１２）。
【請求項２６】
前記処理サブシステム（３０）がさらに、前記非標準化帯域幅搬送波（２０、２４）でマスタ情報ブロック（ＭＩＢ）を送信するように構成され、前記ワイヤレスデバイス（１６）に、前記非標準化帯域幅搬送波（２０、２４）が前記標準化帯域幅を有する標準化帯域幅搬送波として現われるように、前記ＭＩＢが、前記非標準化帯域幅搬送波（２０、２４）の前記非標準化帯域幅より少ない標準化帯域幅として前記標準化帯域幅を識別する情報を含む、請求項２５に記載の基地局（１２）。
【請求項２７】
前記非標準化帯域幅搬送波（２０、２４）が、プライマリ同期信号、セカンダリ同期信号、および前記標準化帯域幅の中央にある周波数リソース内に置かれた前記ＭＩＢを備える、請求項２６に記載の基地局（１２）。
【請求項２８】
前記非標準化帯域幅搬送波（２０、２４）の拡張物理ダウンリンク制御チャネル（ＥＰＤＣＣＨ）共通探索スペースの帯域幅が、前記標準化帯域幅以下である、請求項２７に記載の基地局（１２）。
【請求項２９】
前記標準化帯域幅を識別する前記情報が、前記非標準化帯域幅搬送波（２０、２４）で送信されるマスタ情報ブロック（ＭＩＢ）または、前記非標準化帯域幅搬送波（２０、２４）で送信されるシステム情報ブロック（ＳＩＢ）から成るグループのうちの１つに含まれる、請求項１に記載の基地局（１２）。
【請求項３０】
前記標準化帯域幅を識別する前記情報が、前記非標準化帯域幅搬送波（２０、２４）で送信されるプライマリ同期信号および前記非標準化帯域幅搬送波（２０、２４）で送信されるセカンダリ同期信号から成るグループのうちの少なくとも１つで符号化される、請求項１に記載の基地局（１２）。
【請求項３１】
前記非標準化帯域幅搬送波（２０、２４）の前記非標準化帯域幅を定義する前記追加の情報が、前記非標準化帯域幅搬送波（２０、２４）で送信されるマスタ情報ブロック（ＭＩＢ）または前記非標準化帯域幅搬送波（２０、２４）で送信されるシステム情報ブロック（ＳＩＢ）から成るグループのうちの１つに含まれる、請求項１に記載の基地局（１２）。
【請求項３２】
前記非標準化帯域幅搬送波（２０、２４）の前記非標準化帯域幅を定義する前記情報が、前記非標準化帯域幅搬送波（２０、２４）で送信される信号内で符号化される、請求項１に記載の基地局（１２）。
【請求項３３】
前記非標準化帯域幅搬送波（２０、２４）の前記非標準化帯域幅を定義する前記情報が、無線リソース制御（ＲＲＣ）シグナリングを介して１つまたは複数のワイヤレスデバイス（１４）に送信される、請求項１に記載の基地局（１２）。
【請求項３４】
前記標準化帯域幅を識別する前記情報および前記非標準化帯域幅搬送波（２０、２４）の前記非標準化帯域幅を定義する前記追加の情報が、前記非標準化帯域幅搬送波（２０、２４）で送信されるマスタ情報ブロック（ＭＩＢ）に含まれる、請求項１に記載の基地局（１２）。
【請求項３５】
前記ＭＩＢが、前記標準化帯域幅を識別する前記情報を含むシステム帯域幅フィールドおよび前記追加の情報を含む帯域幅調整フィールドを含み、前記追加の情報が、前記非標準化帯域幅を提供する前記標準化帯域幅への調整を定義する情報である、請求項３４に記載の基地局（１２）。
【請求項３６】
前記処理サブシステム（３０）がさらに、前記非標準化帯域幅搬送波（２０、２４）の前記非標準化帯域幅を新しい非標準化帯域幅に変更するように構成され、前記非標準化帯域幅搬送波（２０、２４）の前記非標準化帯域幅の変更が、前記標準化帯域幅を識別する前記情報および前記非標準化帯域幅搬送波（２０、２４）の新しい非標準化帯域幅を定義するための前記追加の情報のうちの少なくとも１つの更新を含む、請求項１に記載の基地局（１２）。
【請求項３７】
非標準化帯域幅搬送波（２０、２４）、および、標準化帯域幅を識別する情報、および、前記標準化帯域幅を識別する前記情報とともに前記非標準化帯域幅搬送波（２０、２４）の非標準化帯域幅を定義する追加の情報を送信すること
を含む、セルラ通信ネットワーク（１０）内の基地局（１２）の動作の方法。
【請求項３８】
無線サブシステム（３２）と、
前記無線サブシステム（３２）に関連付けられた処理サブシステム（３４）であって、
標準化帯域幅を識別する情報、および、前記標準化帯域幅を識別する前記情報とともにセルラ通信ネットワーク（１０）の基地局（１２）によって送信される非標準化帯域幅搬送波（２０、２４）の非標準化帯域幅を定義する追加の情報を取得し、そして、
前記無線サブシステム（３２）を介して、前記非標準化帯域幅搬送波（２０、２４）を受信する
ように構成された処理サブシステム（３４）と
を備える、前記セルラ通信ネットワーク（１０）での動作のためのワイヤレスデバイス（１４、１６）。
【請求項３９】
前記標準化帯域幅が前記非標準化帯域幅より大きく、前記追加の情報が、前記非標準化帯域幅を提供するために前記標準化帯域幅の周波数リソースの使用を制限する情報である、請求項３８に記載のワイヤレスデバイス（１４、１６）。
【請求項４０】
前記標準化帯域幅が前記非標準化帯域幅より小さく、前記追加の情報が、前記標準化帯域幅の周波数リソースを拡張して前記非標準化帯域幅を提供する情報である、請求項３８に記載のワイヤレスデバイス（１４、１６）。
【請求項４１】
前記追加の情報が、前記非標準化帯域幅を提供するための前記標準化帯域幅の対称的帯域幅調整を定義する、請求項３８に記載のワイヤレスデバイス（１４、１６）。
【請求項４２】
前記追加の情報が、前記非標準化帯域幅を提供するための前記標準化帯域幅の非対称的帯域幅調整を定義する、請求項３８に記載のワイヤレスデバイス（１４、１６）。
【請求項４３】
前記処理サブシステム（３４）がさらに、前記無線サブシステム（３２）を介して、前記非標準化帯域幅搬送波（２４）に加えて標準化帯域幅搬送波（２２）を受信するように構成された、請求項３８に記載のワイヤレスデバイス（１４、１６）。
【請求項４４】
標準化帯域幅を識別する情報と、前記標準化帯域幅を識別する前記情報とともにセルラ通信ネットワーク（１０）の基地局（１２）によって送信される非標準化帯域幅搬送波（２０、２４）の非標準化帯域幅を定義する追加の情報とを取得することと、
前記非標準化帯域幅搬送波（２０、２４）を受信することと
を含む、前記セルラ通信ネットワーク（１０）内のワイヤレスデバイス（１４、１６）の動作の方法。
【請求項４５】
無線サブシステム（２８）と、
前記無線サブシステム（２８）に関連付けられた処理サブシステム（３０）であって、
ワイヤレスデバイス（１４、１６）の非標準化帯域幅能力を指示する情報を備えるランダムアクセス送信を前記ワイヤレスデバイス（１４、１６）から前記無線サブシステム（２８）を介して受信する、
前記ワイヤレスデバイス（１４、１６）の前記非標準化帯域幅能力に基づいて前記ワイヤレスデバイス（１４、１６）のシステム帯域幅を選択する、
前記ワイヤレスデバイス（１４、１６）のために選択された前記システム帯域幅を指示する制御情報を前記無線サブシステム（２８）を介して前記ワイヤレスデバイス（１４、１６）に送信する、そして、
搬送波が前記ワイヤレスデバイス（１４、１６）に前記ワイヤレスデバイス（１４、１６）のために選択された前記システム帯域幅と等しい帯域幅を有するように現われるように、前記無線サブシステム（２８）を介して前記搬送波を送信する
ように構成された前記処理サブシステム（３０）と
を備える、セルラ通信ネットワーク（１０）内の基地局（１２）。
【請求項４６】
前記処理サブシステム（３０）がさらに、
第２のワイヤレスデバイス（１４、１６）の非標準化帯域幅能力を指示する情報を備えるランダムアクセス送信を前記無線サブシステム（２８）を介して前記第２のワイヤレスデバイス（１４、１６）から受信する、
前記ワイヤレスデバイス（１４、１６）のために選択された前記システム帯域幅とは異なる前記第２のワイヤレスデバイス（１４、１６）のシステム帯域幅を前記第２のワイヤレスデバイス（１４、１６）の前記非標準化帯域幅能力に基づいて選択する、そして、
前記第２のワイヤレスデバイス（１４、１６）のために選択された前記システム帯域幅を指示する制御情報を前記無線サブシステム（２８）を介して前記第２のワイヤレスデバイス（１４、１６）に送信する、そして、
前記搬送波が前記ワイヤレスデバイス（１４、１６）に前記ワイヤレスデバイス（１４、１６）のために選択された前記システム帯域幅と等しい帯域幅を有するように現われ、前記第２のワイヤレスデバイス（１４、１６）に前記第２のワイヤレスデバイス（１４、１６）のために選択された前記システム帯域幅と同等の帯域幅を有するように現われるような、前記搬送波を送信する
ように構成された、請求項４５に記載の基地局（１２）。
【請求項４７】
前記ワイヤレスデバイス（１４、１６）のために選択されるシステム帯域幅が、前記搬送波が前記ワイヤレスデバイス（１４、１６）に非標準化帯域幅搬送波として現われるような非標準化帯域幅であり、そして、前記第２のワイヤレスデバイス（１４、１６）のために選択される前記システム帯域幅が、前記搬送波が標準化帯域幅搬送波として前記第２のワイヤレスデバイス（１４、１６）に現われるような標準化帯域幅である、請求項４６に記載の基地局（１２）。
【請求項４８】
ワイヤレスデバイス（１４、１６）の非標準化帯域幅能力を指示する情報を備えるランダムアクセス送信を前記ワイヤレスデバイス（１４、１６）から受信することと、
前記ワイヤレスデバイス（１４、１６）の非標準化帯域幅能力に基づいて前記ワイヤレスデバイス（１４、１６）のシステム帯域幅を選択することと、
前記ワイヤレスデバイス（１４、１６）のために選択された前記システム帯域幅を指示する制御情報を前記ワイヤレスデバイス（１４、１６）に送信することと、
搬送波が前記ワイヤレスデバイス（１４、１６）に前記ワイヤレスデバイス（１４、１６）のために選択された前記システム帯域幅と等しい帯域幅を有するように現われるような、前記搬送波を送信することと
を含む、セルラ通信ネットワーク（１０）内の基地局（１２）の動作の方法。
【請求項４９】
無線サブシステム（３２）と、
前記無線サブシステム（３２）に関連付けられた処理サブシステム（３４）であって、
ワイヤレスデバイス（１４、１６）の非標準化帯域幅能力を指示する情報を備えるランダムアクセス送信を前記ワイヤレスデバイス（１４、１６）から基地局（１２）に前記無線サブシステム（３２）を介して送信する、
前記ワイヤレスデバイス（１４、１６）の前記非標準化帯域幅能力を指示する前記情報に基づく前記ワイヤレスデバイス（１４、１６）のために選択されたシステム帯域幅を指示する制御情報を前記無線サブシステム（３２）を介して前記基地局（１２）から受信する、そして、
搬送波が前記ワイヤレスデバイス（１４、１６）に前記ワイヤレスデバイス（１４、１６）のために選択された前記システム帯域幅と等しい帯域幅を有するように現われるような、前記搬送波を前記無線サブシステム（３２）を介して前記基地局（１２）から受信する
ように構成された処理サブシステム（３４）と
を備える、セルラ通信ネットワーク（１０）における動作のためのワイヤレスデバイス（１４、１６）。
【請求項５０】
ワイヤレスデバイス（１４、１６）の非標準化帯域幅能力を指示する情報を備えるランダムアクセス送信を前記ワイヤレスデバイス（１４、１６）から基地局（１２）に送信することと、
前記ワイヤレスデバイス（１４、１６）の前記非標準化帯域幅能力を指示する前記情報に基づく前記ワイヤレスデバイス（１４、１６）のために選択されたシステム帯域幅を指示する制御情報を前記基地局（１２）から受信することと、
搬送波が前記ワイヤレスデバイス（１４、１６）に前記ワイヤレスデバイス（１４、１６）のために選択された前記システム帯域幅と等しい帯域幅を有するように現われるような前記搬送波を前記基地局（１２）から受信することと
を含む、セルラ通信ネットワーク（１０）における前記ワイヤレスデバイス（１４、１６）の動作の方法。
【発明の詳細な説明】
【技術分野】
【０００１】
関連出願
本願は、その開示の全体を参照により本明細書に組み込む、２０１２年１１月２日に出願された仮特許出願第６１／７２１，８０５号の利益を主張するものである。
【０００２】
本開示は、セルラ通信ネットワークに関し、より詳細には、セルラ通信ネットワークにおける非標準化帯域幅のフレキシブルサポートの提供に関する。
【背景技術】
【０００３】
セルラワイヤレス通信システムで、オペレータは、オペレータがグローバルシステムフォーモバイルコミュニケーション（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイルテレコミュニケーションシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、またはロングタームエボリューション（ＬＴＥ：Ｌｏｎｇ  Ｔｅｒｍ  Ｅｖｏｌｕｔｉｏｎ）などの標準化技術に従って動作するセルラワイヤレス通信ネットワークを操作することができる固定スペクトルブロックのライセンスを与えられる。しばしば、オペレータに与えられるスペクトル割当ては、本技術によってサポートされるチャネル帯域幅と調和しないことがある。たとえば、７．５メガヘルツ（ＭＨｚ）スペクトルブロックを有するオペレータは、５ＭＨｚの倍数であるチャネル帯域幅のみをサポートするＵＭＴＳ技術でそのスペクトル割当てを完全に使用することはできない。
【０００４】
他の場合には、ある技術から別の技術へ移行するオペレータは、より古い技術でスペクトルの他方の部分にあるより古い端末またはユーザ機器デバイス（ＵＥ：Ｕｓｅｒ  Ｅｑｕｉｐｍｅｎｔ）をなおサポートしながら、より新しい技術にスペクトルの一部を移すことによって、徐々にその移行を実行したいと考えることがある。これは、しばしば、スペクトルリファーミングと呼ばれる。そのような状況で、１つのまたは限られた数のチャネル帯域幅のサポートは、そのような移行を困難にすることがある。たとえば、ＧＳＭからＬＴＥに移行する５ＭＨｚ割当てを有するオペレータを考える。ＬＴＥは、現在、１．４、３、５、１０、１５、または２０ＭＨｚのチャネル帯域幅をサポートする。オペレータは、３ＭＨｚから１ＬＴＥ搬送波に移行し、残りの２ＭＨｚを使用してより古いＵＥをサポートすることができる。しかし、オペレータが、最終的に、全５ＭＨｚを使用する用意があるとき、単一の５ＭＨｚ搬送波への切替えは、いくつかのより古い３ＭＨｚＵＥがより大きな帯域幅で動作することができない場合にそれらを使用不可能にすることがある。
【０００５】
オペレータが直面するもう１つの潜在的問題は、以下のように説明することができる。ある一定の非標準化帯域幅割当て、たとえば７．５ＭＨｚ、を有するオペレータが、その特定の帯域幅をサポートする使用可能なＵＥベンダを有さないことがある。その標準自体は、そのような帯域幅をサポートすることができない。この場合、オペレータは、より低い帯域幅搬送波、たとえば５ＭＨｚ、で最初に配備し、将来に７．５ＭＨｚ搬送波にアップグレードするためのオプションを確保したいと考えることがある。しかし、将来の７．５ＭＨｚ搬送波へのアップグレードは、レガシ５ＭＨｚＵＥを使用不可能にさせることがある。この上位互換性の欠如は、もちろん、好ましくない。
【０００６】
チャネル帯域幅に関連するさらにもう１つの問題は、異なる地理的領域内の所与の帯域についての異なるサイズのスペクトル割当てに起因する。より具体的には、所与の帯域、たとえば７００ＭＨｚ周波数領域周辺の帯域１３、における異なるサイズのスペクトル割当てを有する異なる領域内の２人のオペレータを考える。一方のオペレータは１０ＭＨｚを有することができ、他方のオペレータは５ＭＨｚのみを有し得る。その場合、それらのオペレータのうちの一方のＵＥは、他方のオペレータのネットワークにローミングすることができないことがある。同帯域内の異なる帯域幅でのそのような問題はまた、単一のオペレータでも生じ得る。たとえば、米国などの大きな国のオペレータは、その国内の異なる領域内の同帯域で異なる割当てを有することがある。
【０００７】
したがって、セルラ通信ネットワークでフレキシブルスペクトルサポートを提供するシステムおよび方法が必要とされている。
【発明の概要】
【０００８】
本開示は、セルラ通信ネットワークにおけるフレキシブルスペクトル、または帯域幅、サポートに関する。一実施形態で、セルラ通信ネットワークのための基地局は、非標準化帯域幅搬送波と、標準化帯域幅を識別する情報と、標準化帯域幅を識別する情報とともに非標準化帯域幅搬送波の非標準化帯域幅を定義する追加の情報とを送信するように構成される。一実施形態で、その追加の情報は、非標準化帯域幅を定義する標準化帯域幅の帯域幅調整を定義する。一実施形態で、帯域幅調整は、対称的帯域幅制限である。もう１つの実施形態で、帯域幅調整は、非対称的帯域幅制限である。さらにもう１つの実施形態で、帯域幅調整は、対称的帯域幅拡張である。さらにもう１つの実施形態で、帯域幅調整は、非対称的帯域幅拡張である。
【０００９】
一実施形態で、基地局は、非標準化帯域幅搬送波に加えて標準化帯域幅搬送波を送信する。さらに、一実施形態で、非標準化帯域幅搬送波は、独立型搬送波である。もう１つの実施形態で、非標準化帯域幅搬送波は、非独立型搬送波である。さらに、一実施形態で、非標準化帯域幅搬送波および標準化帯域幅搬送波は、同期される。
【００１０】
一実施形態で、基地局は、標準化帯域幅搬送波のみをサポートするワイヤレスデバイスが、標準化帯域幅搬送波として標準化帯域幅に対応する非標準化帯域幅搬送波の１セクションにアクセスすることが可能になるように、非標準化帯域幅搬送波を送信する。
【００１１】
もう１つの実施形態で、セルラ通信ネットワークでの動作のためのワイヤレスデバイスは、標準化帯域幅を識別する情報と、セルラ通信ネットワークの基地局によって送信される非標準化帯域幅搬送波の非標準化帯域幅を、標準化帯域幅を識別する情報とともに、定義する追加の情報とを取得するように構成される。ワイヤレスデバイスは、次いで非標準化帯域幅搬送波を受信するようにさらに構成される。
【００１２】
もう１つの実施形態で、セルラ通信ネットワークのための基地局は、ワイヤレスデバイスからのランダムアクセス送信を受信するように構成され、ランダムアクセス送信は、ワイヤレスデバイスの非標準化帯域幅能力を指示する情報を含む。基地局は、次いで、ワイヤレスデバイスの非標準化帯域幅能力に基づいてワイヤレスデバイスのシステム帯域幅を選択し、そのワイヤレスデバイスのために選択されたシステム帯域幅を示すワイヤレスデバイスへの制御情報を送信するように構成される。基地局はさらに、搬送波が、ワイヤレスデバイスのために選択されたシステム帯域幅と等しい帯域幅を有するようにそのワイヤレスデバイスに現われるように、搬送波を送信するように構成される。
【００１３】
もう１つの実施形態で、セルラ通信ネットワークでの動作のためのワイヤレスデバイスは、ワイヤレスデバイスから基地局にランダムアクセス送信を送るように構成され、そのランダムアクセス送信は、ワイヤレスデバイスの非標準化帯域幅能力を指示する情報を含む。ワイヤレスデバイスはさらに、そのワイヤレスデバイスの非標準化帯域幅能力を指示する情報に基づいて、そのワイヤレスデバイスのために選択されたシステム帯域幅を示す基地局からの制御情報を受信するように構成される。ワイヤレスデバイスは、搬送波が、そのワイヤレスデバイスのために選択されたシステム帯域幅と等しい帯域幅を有するようにそのワイヤレスデバイスに現われるように、次いで基地局から搬送波を受信するように構成される。
【００１４】
当業者は、本開示の範囲を理解し、添付の図面に関連する好ましい実施形態の以下の詳細な説明を読んだ後に、その追加の態様に気が付くことになろう。
【００１５】
本明細書に組み込まれた、本明細書の一部を形成する添付の図面は、本開示のいくつかの態様を示し、記述とともに、本開示の原理の説明を助ける。
【図面の簡単な説明】
【００１６】
【図１】従来のロングタームエボリューション（ＬＴＥ）ダウンリンク物理リソースを示す図である。
【図２】従来のＬＴＥダウンリンクサブフレームを示す図である。
【図３】ＬＴＥリリース８（ＬＴＥ  Ｒｅｌ−８）マスタ情報ブロック（ＭＩＢ：Ｍａｓｔｅｒ  Ｉｎｆｏｒｍａｔｉｏｎ  Ｂｌｏｃｋ）のビットフィールド割当てを示す図である。
【図４】物理ブロードキャストチャネル（ＰＢＣＨ：Ｐｈｙｓｉｃａｌ  Ｂｒｏａｄｃａｓｔ  Ｃｈａｎｎｅｌ）を介するＬＴＥ  Ｒｅｌ−８  ＭＩＢの符号化および送信を示す図である。
【図５】１０リソースブロック（ＲＢ：Ｒｅｓｏｕｒｃｅ  Ｂｌｏｃｋ）ペアを有するＬＴＥダウンリンクサブフレームと各サイズ１ＲＢペアの３つの拡張物理ダウンリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）領域の構成とを示す図である。
【図６】本開示の一実施形態によるフレキシブル帯域幅搬送波を送信する基地局を含むセルラ通信ネットワークを示す図である。
【図７】非標準化帯域幅搬送波が標準化帯域幅搬送波への対称的帯域幅調整によって定義される本開示の一実施形態による非標準化帯域幅を有するフレキシブル帯域幅搬送波を示す図である。
【図８】非標準化帯域幅搬送波が標準化帯域幅への非対称的帯域幅調整によって定義される本開示のもう１つの実施形態による非標準化帯域幅搬送波を示す図である。
【図９】基地局が図７または図８の非標準化帯域幅搬送波を送信する本開示の一実施形態による図６のセルラ通信ネットワークの動作を示す図である。
【図１０】本開示の一実施形態によるフレキシブル帯域幅を提供するためのダウンリンク搬送波アグリゲーション方式による標準化帯域幅搬送波および非標準化帯域幅搬送波のアグリゲーションを示す図である。
【図１１】本開示のもう１つの実施形態によるフレキシブル帯域幅を提供するためのダウンリンク搬送波アグリゲーション方式による標準化帯域幅搬送波および非標準化帯域幅搬送波のアグリゲーションを示す図である。
【図１２Ａ】２つの搬送波が同期される本開示のもう１つの実施形態によるフレキシブル帯域幅を提供するためのダウンリンク搬送波アグリゲーション方式による標準化帯域幅搬送波および非標準化帯域幅搬送波のアグリゲーションを示す図である。
【図１２Ｂ】２つの搬送波が同期される本開示のもう１つの実施形態によるフレキシブル帯域幅を提供するためのダウンリンク搬送波アグリゲーション方式による標準化帯域幅搬送波および非標準化帯域幅搬送波のアグリゲーションを示す図である。
【図１３】基地局が、図１０、図１１、または図１２Ａおよび図１２Ｂの搬送波などのアグリゲートされた搬送波を送信する、本開示の一実施形態による図６のセルラ通信ネットワークの動作を示す図である。
【図１４】非標準化帯域幅搬送波の１セクションが本開示の一実施形態による標準化帯域幅搬送波としてワイヤレスデバイスに現われるように、基地局が非標準化帯域幅搬送波を送信する、図６のセルラ通信ネットワークの動作を示す図である。
【図１５】基地局が、本開示の一実施形態に従って異なるワイヤレスデバイスに異なる帯域幅を提供することを可能にされる、図６のセルラ通信ネットワークの動作を示す図である。
【図１６】異なる非対称的ＲＢ制限が、本開示の一実施形態によるプライマリおよびセカンダリ同期信号（ＰＳＳ／ＳＳＳ：Ｐｒｉｍａｒｙ  ａｎｄ  Ｓｅｃｏｎｄａｒｙ  Ｓｙｎｃｈｒｎｏｎｉｚａｔｉｏｎ  Ｓｉｇｎａｌｓ）およびシステム情報送信への干渉を管理するために使用される、図６のセルラ通信ネットワークの一実施形態を示す図である。
【図１７Ａ】本開示の一実施形態によるＭＩＢの新しい帯域幅調整フィールドの例を示す図である。
【図１７Ｂ】本開示の一実施形態によるＭＩＢの新しい帯域幅調整フィールドの例を示す図である。
【図１７Ｃ】本開示の一実施形態によるＭＩＢの新しい帯域幅調整フィールドの例を示す図である。
【図１８】本開示の一実施形態による図６の基地局のうちの１つのブロック図である。
【図１９】本開示の一実施形態による図６のワイヤレスデバイスのうちの１つのブロック図である。
【発明を実施するための形態】
【００１７】
以下に記載の実施形態は、当業者がそれらの実施形態を実施することを可能にし、それらの実施形態を実施する最良の形態を示すための必要な情報を表す。添付の図面に照らして以下の説明を読むとき、当業者は、本開示の概念を理解し、本明細書で具体的に扱われていないこれらの概念の適用例を理解することになろう。これらの概念および適用例は、本開示の範囲および添付の特許請求の範囲内にあることを理解されたい。
【００１８】
本開示は、セルラ通信ネットワークにおけるフレキシブルスペクトル、または帯域幅、サポートに関する。以下に記載の好ましい実施形態は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ロングタームエボリューション（ＬＴＥ）に焦点を合わせ、そのようなものとして、ＬＴＥ専門用語が頻繁に使用される。しかし、本明細書で開示される概念は、ＬＴＥに限定されず、そうではなくて、任意の適切なセルラ通信ネットワークで使用され得る。以下の実施形態はＬＴＥに焦点を合わせるので、本開示の実施形態を説明する前に、ＬＴＥの論考は有益である。
【００１９】
ＬＴＥは、拡張ノードＢ（ｅＮＢ：Ｅｎｈａｎｃｅｄ  Ｎｏｄｅ  Ｂ）と呼ばれる基地局からユーザ機器デバイス（ＵＥ）と呼ばれる移動局への伝送が、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を使用して送信される、モバイル広帯域ワイヤレス通信技術である。ＯＦＤＭは、信号を周波数で複数の並列副搬送波に分割する。ＬＴＥでの伝送の基本単位は、その最も一般的な構成が１２副搬送波および７ＯＦＤＭシンボル（１スロット）から成る、リソースブロック（ＲＢ）である。１つの副搬送波および１ＯＦＤＭシンボルの単位は、図１に示すように、リソースエレメント（ＲＥ：Ｒｅｓｏｕｒｃｅ  Ｅｌｅｍｅｎｔ）と呼ばれる。したがって、１ＲＢは８４ＲＥから成る。ＬＴＥ無線サブフレームは、図２に示すように、システムの帯域幅と時間の２つのスロットを判定するＲＢの数を有する周波数内の複数のリソースブロックから成る。さらに、時間で隣接するサブフレーム内の２つのＲＢは、ＲＢペアとして示される。現在、ＬＴＥは、それぞれ１．４、３、５、１０、１５、および２０メガヘルツ（ＭＨｚ）の標準帯域幅に対応する、６、１５、２５、５０、７５、および１００ＲＢペアの標準帯域幅サイズをサポートする。その時間領域において、ＬＴＥダウンリンク伝送は、１０ミリ秒（ｍｓ）の無線フレームに編成され、各無線フレームは、長さＴｓｕｂｆｒａｍｅ＝１ｍｓの１０個の同じサイズのサブフレームから成る。
【００２０】
ダウンリンク（すなわち、ｅＮＢからＵＥに伝送を運ぶリンク）サブフレームでｅＮＢによって送信される信号は、複数のアンテナから送信することができ、その信号は、複数のアンテナを有するＵＥで受信することができる。無線チャネルは、複数のアンテナポートから送信される信号を歪ませる。ダウンリンクでの任意の伝送を復調するために、ＵＥは、ダウンリンクで送信される参照シンボル（ＲＳ）に依存する。これらのＲＳおよび時間周波数グリッドにおけるそれらの位置は、ＵＥに知られ、したがって、これらのシンボルでの無線チャネルの効果を測定することによってチャネル推定値を判定するために使用することができる。ＬＴＥリリース１１（Ｒｅｌ−１１）およびＬＴＥの前のリリースでは、複数のタイプの参照シンボルが存在する。共通参照シンボル（ＣＲＳ）が、制御およびデータメッセージの復調の間にチャネル推定のために使用される。ＣＲＳは、サブフレームごとに１度生じる。チャネル状態情報ＲＳ（ＣＳＩ−ＲＳ）は、ＣＲＳより低い密度を有するＲＳであり、それがｅＮＢでＵＥの最良の伝送パラメータの選択を容易にする情報をフィードバックすることができるように、ＵＥでチャネル状態測定を行うために使用される。ＵＥでのパラメータは、複数のアンテナに適用されるプリコーディングを含む。ＵＥが正しい伝送パラメータを判定した後は、ｅＮＢは、ＵＥ固有のＵＥへの伝送を送ることができる。復調ＲＳ（ＤＭ−ＲＳ）は、そのような伝送に組み込まれ、その伝送でデータシンボルに適用される同プリコーディングはまた、ＤＭ−ＲＳに適用される。これは、ＵＥがチャネル推定のためのＤＭ−ＲＳを使用し、ｅＮＢからの伝送を無事に復調および復号することを可能にする。
【００２１】
ダウンリンクを介してＵＥに送信されるメッセージは、制御メッセージまたはデータメッセージに大きく分類することができる。制御メッセージは、システムの適切な動作ならびにシステム内の各ＵＥの適切な動作を円滑に進めるために使用される。制御メッセージは、ＵＥからの送信される電力、その中でデータがＵＥによって受信されるまたはＵＥから送信されることになるＲＢのシグナリングなどの機能を制御するためのコマンドを含み得る。制御メッセージの例は、たとえばスケジューリング情報および電力制御メッセージを運ぶ、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）と、前のアップリンク送信に応答して肯定応答／否定応答（ＡＣＫ／ＮＡＣＫ）を運ぶ物理ハイブリッド自動再送要求（ＨＡＲＱ）インディケータチャネル（ＰＨＩＣＨ）と、システム情報を運ぶ物理ブロードキャストチャネル（ＰＢＣＨ）とである。また、プライマリおよびセカンダリ同期信号（ＰＳＳ／ＳＳＳ）は、最初にネットワークにアクセスするＵＥがＰＳＳおよびＳＳＳを見つけ、同期することができるように、時間および周波数で固定位置および周期性を有する制御信号として見ることができる。
【００２２】
ＰＢＣＨは、ＰＤＣＣＨ送信によってスケジュールされないが、ＰＳＳおよびＳＳＳに関する固定位置を有する。したがって、ＵＥがＰＤＣＣＨを読むことができる前に、ＵＥはＰＢＣＨで送信されるシステム情報を受信することができる。搬送波を最初に取得するためにＵＥによって辿られる手順は、以下の通りである。ＵＥは、最初に、セル探索動作を行い、ここで、ＵＥは、知られているＰＳＳ／ＳＳＳシーケンスを探索する。有効なＰＳＳ／ＳＳＳが見つけられた後は、ＵＥは、次いで、ＵＥに必要なシステム情報を提供するＰＢＣＨ内で送信されたマスタ情報ブロック（ＭＩＢ）を続けて読み取る。ＰＳＳ／ＳＳＳおよびＰＢＣＨの両方は、搬送波の実際のシステム帯域幅にかかわらず、６つの中央ＲＢのみにわたる。ＵＥがＭＩＢを読み取るとき、ＵＥが、搬送波のために構成されたシステム帯域幅の情報を受信する。さらに制御メッセージが、次いで、全システム帯域幅を介して送信されるＰＤＣＣＨを使用し、読み取られ得る。
【００２３】
ＬＴＥリリース８（Ｒｅｌ−８）で、ＭＩＢは、図３に示すように各フィールドに割り当てられたビットの数を有する４つのフィールドを含む。その４つのフィールドは：
−  ｄｌ−Ｂａｎｄｗｉｄｔｈ（ｄｌ帯域幅）：このフィールドは、ダウンリンクチャネルのシステム帯域幅の６つの起こり得る値｛６，１５，２５，５０，７５，１００｝のうちの１つをシグナリングする。
−  ｐｈｉｃｈ−Ｃｏｎｆｉｇ：このフィールドは、ＰＨＩＣＨ信号の構成をシグナリングする。
−  ＳｙｓｔｅｍＦｒａｍｅＮｕｍｂｅｒ（システムフレーム番号）：このフィールドは、システムフレーム番号（ＳＦＮ）の８つの最上位のビットをシグナリングする。
−  ｓｐａｒｅ（予備ビット）：これらのビットは、定義されておらず、０をデフォルトにされる。ＭＩＢは、図４に示すＰＢＣＨを介して送信される。
【００２４】
ＬＴＥリリース１０（Ｒｅｌ−１０）で、ＵＥへのすべての制御メッセージは、ＣＲＳを使用して復調され、そのようなものとして、それらの制御メッセージは、セル内のすべてのＵＥにそれらのＵＥの場所に関する知識なしに到達するためのセル幅カバレッジを有する。例外は、独立型であり、復調の前にＣＲＳの受信を必要としない、ＰＳＳおよびＳＳＳである。図２に示すように、サブフレーム内の、構成に応じて、最初の１から４つのＯＦＤＭシンボルが、そのような制御情報を含むために確保される。制御メッセージは、１つのＵＥのみに送信される必要があるメッセージ（ＵＥ固有の制御）とすべてのＵＥまたはｅＮＢによってカバーされるセル内の２以上の番号を付けるＵＥの何らかのサブセットに送信される必要があるメッセージ（共通制御）とのそれらのタイプに分類することができる。
【００２５】
ＬＴＥ  Ｒｅｌ−１１では、拡張制御チャネルの形での制御情報のＵＥ固有の送信が、図５に示すように、ＵＥ固有の参照信号に基づいてデータ領域内でＵＥへの一般的制御メッセージの送信を可能にすることによって、導入される。これらの拡張制御チャネルは、一般に、拡張ＰＤＣＣＨ（ＥＰＤＣＣＨ）として知られる。ＬＴＥ  Ｒｅｌ−１１での拡張制御チャネルでは、復調のためのアンテナポートｐ∈｛１０７，１０８，１０９，１１０｝、すなわち、ＤＭ−ＲＳを使用する物理ダウンリンク共有チャネル（ＰＤＳＣＨ）送信のために使用される同アンテナポート、を使用することが同意されている。この拡張は、プリコーディング利得が、制御チャネルについても達成され得ることを意味する。もう１つの利益は、異なる物理ＲＢ（ＰＲＢ）ペア（または拡張制御領域）が、セル内の異なるセルまたは異なる送信ポイントに割り当てることが可能であり、それによって、制御チャネル間のセル間またはポイント間干渉調整が達成され得る、ということである。これは、特に、異機種ネットワーク（ＨｅｔＮｅｔ）のシナリオに有用である。
【００２６】
ＵＥが、ブラインド復号技法を使用して、テストされるいくつかのブラインド復号候補を有するＥＰＤＣＣＨメッセージを受信する。ＬＴＥ  Ｒｅｌ−８では、ＰＤＣＣＨの各アグリゲーションレベルのいくつかのブラインド復号候補の割当てが、ＵＥに知られる。ＥＰＤＣＣＨでは、ＥＰＤＣＣＨが受信され得る全スペースが、セットに分割される。この分割を無線リソース制御（ＲＲＣ：Ｒａｄｉｏ  Ｒｅｓｏｕｒｃｅ  Ｃｏｎｔｒｏｌ）シグナリングを介してＵＥに知らせることは、かなりの余分なオーバヘッドをもたらし得る。しかし、ＬＴＥ  Ｒｅｌ−８で行われるものとしてのこれらの値の指定は、ＵＥのために構成され得る潜在的に異なるサイズのセットの組合せの数により、単純ではない。
【００２７】
ＬＴＥ標準化団体３ＧＰＰでは、新しい搬送波タイプの議論が審議された。新しい搬送波の主要な設計主義のうちの１つは、前のＬＴＥリリースと比べて低減されたオーバヘッドをもたらす強制的送信の最小化である。これを達成するために、ＣＲＳは、拡張同期信号（ｅＳＳ：ｅｘｔｅｎｄｅｄ  ｓｙｎｃｈｒｏｎｉｚａｔｉｏｎ  Ｓｉｇｎａｌ）と呼ばれる参照シンボルで置き換えられる。ｅＳＳは、単に、サブフレーム０およびサブフレーム５、すなわちＰＳＳおよびＳＳＳ信号が送信される同サブフレーム、内の５サブフレームごとに１度だけ現われるように制限されたＣＲＳのポート０に対応するＲＳである。新しい搬送波の制御シグナリングは、ＥＰＤＣＣＨと拡張ＰＢＣＨ（ｅＰＢＣＨ）と呼ばれる修正されたＰＢＣＨとを主に使用することができる。搬送波の全帯域幅にわたるＰＤＣＣＨは、使用されないことになる。新しい搬送波で、復調を目的とするすべてのチャネル推定が、ＵＥ固有のＤＭ−ＲＳで実行される。ｅＳＳは、時間および周波数同期のためにのみ使用されることになる。ｅＳＳの帯域幅は、まだ審議中である。
【００２８】
背景技術で論じたように、標準化帯域幅に関する制限によりＬＴＥ（および他のタイプのセルラ通信ネットワーク）で問題が生じる。これに関連して、図６は、本開示の一実施形態によるフレキシブル帯域幅搬送波を送信する基地局１２を含むセルラ通信ネットワーク１０を示す。図６は、明確性および議論の容易さを目的として１つのみの基地局１２を示すが、セルラ通信ネットワーク１０は多数の基地局１２を含むことに留意されたい。図示するように、基地局１２は、対応するセル１８内に置かれたワイヤレスデバイス１４および１６に供する。この場合も、２つのみのワイヤレスデバイス１４および１６が図示されるが、基地局１２は多数のワイヤレスデバイス１４、１６に供し得る。ＬＴＥで、基地局１２はｅＮＢと呼ばれるが、基地局１２はまた、ホームｅＮＢ（ＨｅＮＢ）などの低電力基地局でもよい。同様に、ＬＴＥで、ワイヤレスデバイス１４および１６はＵＥと呼ばれる。
【００２９】
以下に詳細に論じるように、ワイヤレスデバイス１４は、非標準化帯域幅をサポートし、一方、ワイヤレスデバイス１６は、標準化帯域幅のみをサポートし、そのようなものとして、本明細書では時にレガシワイヤレスデバイス１６と呼ばれる。特に、本明細書では、「標準化帯域幅」は、セルラ通信ネットワーク１０の動作を統制するセルラ通信ネットワーク標準によって標準化された帯域幅である。たとえば、以下に記載の実施形態で、セルラ通信ネットワーク１０は、それぞれ、１．４、３、５、１０、１５、および２０ＭＨｚの標準化帯域幅に対応する、６、１５、２５、５０、７５、および１００ＲＢペアの標準化帯域幅を現在有する、ＬＴＥセルラ通信ネットワークである。一方、本明細書で、「非標準化帯域幅」は、セルラ通信ネットワーク１０の動作を統制するセルラ通信ネットワーク標準によって標準化されない帯域幅である。たとえば、ＬＴＥでは、非標準化帯域幅は、前述のように現在１．４、３、５、１０、１５、および２０ＭＨｚであるＬＴＥの標準化帯域幅以外の帯域幅である。
【００３０】
以下に論じるように、基地局１２は、フレキシブル帯域幅搬送波を送信する。この関連で、図７は、本開示の一実施形態による非標準化帯域幅を有するフレキシブル帯域幅搬送波を示す。具体的には、図７のフレキシブル帯域幅搬送波は、本開示の一実施形態による標準化帯域幅への対称的帯域幅調整を介して提供される非標準化帯域幅搬送波２０である。一実施形態で、対称的帯域幅調整は、より小さい非標準化帯域幅Ｎ３（たとえば、７．５ＭＨｚ）への標準化帯域幅Ｎ１（たとえば、１０ＭＨｚ）の、より一般に対称的帯域幅制限とも称される、対称的ＲＢ制限である。非標準化帯域幅搬送波２０は、ＰＳＳ／ＳＳＳと非標準化帯域幅搬送波２０の中央の６つのＲＢ内のＭＩＢを含むＰＢＣＨとを含む独立型搬送波である。本明細書では、「独立型搬送波」は、アイドルモードワイヤレスデバイス（たとえば、ＬＴＥ内のＲＲＣ＿ＩＤＬＥモードにある、ワイヤレスデバイス、またはＵＥ）をサポートすることができる搬送波である。ＣＳＩ−ＲＳ、および、いくつかの実施形態で、ｅＳＳは、非標準化帯域幅搬送波２０の全帯域幅にわたる。
【００３１】
以下に論じるように、ワイヤレスデバイス１４が、ＰＳＳ／ＳＳＳを使用して非標準化帯域幅搬送波２０を最初に取得し、ＰＢＣＨまたはｅＰＢＣＨでＭＩＢを読み取るとき、ワイヤレスデバイス１４は、標準化帯域幅Ｎ１を伝達するまたは示す情報を受信する。一実施形態で、標準化帯域幅Ｎ１は、基地局１２からのダウンリンク搬送波のシステム帯域幅としてＭＩＢ内で提供される。加えてまたは別法として、標準化帯域幅は、システム情報ブロック（ＳＩＢ）によって直接に、あるいは、たとえば、非標準化帯域幅搬送波２０で送信される信号内で符号化されて（たとえば、ＰＳＳ／ＳＳＳシーケンスで符号化されて）、提供され得る。
【００３２】
標準化帯域幅Ｎ１を指示する情報に加えて、ワイヤレスデバイス１４は、対称的ＲＢ制限を伝えるまたは指示する追加の情報を受信する。標準化帯域幅を指示する情報とともに、対称的ＲＢ制限を指示する情報は、非標準化帯域幅搬送波２０の非標準化帯域幅Ｎ３を定義する。対称的ＲＢ制限を指示する追加の情報は、たとえば、ＭＩＢに含まれ得る、ＳＩＢに含まれ得る、または非標準化帯域幅搬送波２０で送信される信号内で符号化され得る。本例では、追加の情報は、対称的ＲＢ制限が、標準化帯域幅Ｎ１を１０ＭＨｚから７．５ＭＨｚに順に制限して、それによって非標準化帯域幅Ｎ３を定義する、標準化帯域幅Ｎ１の各端にある６つのＲＢの制限である、と指示する。ワイヤレスデバイス１４は、次いで、１０ＭＨｚ（５０ＲＢ）の帯域幅を有する標準化帯域幅搬送波の代わりに７．５ＭＨｚ（３８ＲＢ）の帯域幅を有する非標準化帯域幅搬送波２０を受信することを期待する。
【００３３】
本実施形態では、対称的ＲＢ制限は、ＲＳ（たとえば、ＣＳＩ−ＲＳ、ｅＳＳなど）を含むすべての信号が、制限されたＲＢでは送信されないことを意味するとワイヤレスデバイス１４によって解釈される。したがって、対称的ＲＢ制限は、黙示的に複数の信号の帯域幅を構成する。また、前述のように、一実施形態で、基地局１２は、ダウンリンクのシステム帯域幅のための既存のフィールド（たとえば、ＭＩＢ）で標準化帯域幅を指示する情報を送信する。これは、そのシグナリングが、既存の標準化帯域幅のみを現在サポートするワイヤレスデバイス１６などのワイヤレスデバイスに後方互換性を有することを可能にする。
【００３４】
前述の実施形態では、対称的帯域幅制限が使用されて標準化帯域幅Ｎ１を調整して非標準化帯域幅Ｎ３を提供する。しかし、もう１つの実施形態で、対称的帯域幅調整は、より大きな非標準化帯域幅Ｎ３（たとえば、７．５ＭＨｚ）への標準化帯域幅Ｎ２（たとえば、５ＭＨｚ）の、より一般に本明細書で対称的帯域幅拡張と称される、対称的ＲＢ拡張である。この場合も、非標準化帯域幅搬送波２０は、ＰＳＳ／ＳＳＳと非標準化帯域幅搬送波２０の中央の６つのＲＢ内のＭＩＢを含むＰＢＣＨとを含む、独立型搬送波である。ＣＳＩ−ＲＳ、および、いくつかの実施形態で、ｅＳＳは、非標準化帯域幅搬送波２０の全帯域幅にわたる。
【００３５】
以下に論じるように、ワイヤレスデバイス１４が、ＰＳＳ／ＳＳＳを使用して非標準化帯域幅搬送波２０を最初に取得し、ＰＢＣＨまたはｅＰＢＣＨでＭＩＢを読み取るとき、ワイヤレスデバイス１４は、標準化帯域幅Ｎ２を伝えるまたは指示する情報を受信する。一実施形態で、標準化帯域幅Ｎ２は、基地局１２からのダウンリンク搬送波のシステム帯域幅としてＭＩＢ内で提供される。加えてまたは別法として、標準化帯域幅は、ＳＩＢによって直接提供され得るまたは、たとえば、非標準化帯域幅搬送波２０で送信される信号内で符号化され得る（たとえば、ＰＳＳ／ＳＳＳシーケンスで符号化される）。
【００３６】
標準化帯域幅Ｎ２を指示する情報に加えて、ワイヤレスデバイス１４は、対称的ＲＢ拡張を伝えるまたは指示する追加の情報を受信する。標準化帯域幅Ｎ２を指示する情報とともに、対称的ＲＢ拡張を指示する情報は、非標準化帯域幅搬送波２０の非標準化帯域幅Ｎ３を定義する。対称的ＲＢ拡張を指示する追加の情報は、たとえば、ＭＩＢに含まれ得る、ＳＩＢに含まれ得る、または非標準化帯域幅搬送波２０で送信される信号内で符号化され得る。本例では、追加の情報は、対称的ＲＢ拡張が５ＭＨｚから７．５ＭＨｚに標準化帯域幅を順に拡張してそれによって非標準化帯域幅Ｎ３を定義する、標準化帯域幅Ｎ２の各端にある６つのＲＢの拡張である、と指示する。ワイヤレスデバイス１４は、次いで、５ＭＨｚ（２５ＲＢ）の帯域幅を有する標準化帯域幅搬送波の代わりに７．５ＭＨｚ（３７ＲＢ）の帯域幅を有する非標準化帯域幅搬送波２０を受信することを期待する。
【００３７】
本実施形態では、対称的ＲＢ拡張は、ＲＳ（たとえば、ＣＳＩ−ＲＳ、ｅＳＳなど）を含む信号が、拡張されたＲＢで送信されることを意味するとワイヤレスデバイス１４によって解釈される。したがって、対称的ＲＢ制限は、黙示的に複数の信号の帯域幅を構成する。複数の信号の帯域幅を構成する。また、前述のように、一実施形態で、基地局１２は、ダウンリンクのシステム帯域幅のための既存のフィールド（たとえば、ＭＩＢ）で標準化帯域幅を指示する情報を送信する。これは、そのシグナリングが、既存の標準化帯域幅のみを現在サポートするワイヤレスデバイス１６などのワイヤレスデバイスに後方互換性を有することを可能にする。さらに、以下に論じるように、前記非標準化帯域幅搬送波２０の標準化帯域幅Ｎ２セクションは、標準化帯域幅搬送波として、ワイヤレスデバイス１６などのレガシワイヤレスデバイスに現われ得る。
【００３８】
図８は、非標準化帯域幅搬送波２０が標準化帯域幅への非対称的帯域幅調整によって定義される本開示のもう１つの実施形態による非標準化帯域幅搬送波２０を示す。具体的には、一実施形態で、非対称的帯域幅調整は、より小さい非標準化帯域幅Ｎ３（たとえば、７．５ＭＨｚ）への標準化帯域幅Ｎ１（たとえば、１０ＭＨｚ）の非対称的帯域幅制限ともより一般的に呼ばれる、非対称的ＲＢ制限である。同数のＲＢが標準化帯域幅Ｎ１の各端で制限される前述の対称的ＲＢ制限とは異なり、非対称的ＲＢ制限は、標準化帯域幅Ｎ１の各端で異なる数のＲＢを制限する。図示された例で、制限されたＲＢのすべては、標準化帯域幅Ｎ１の右または上方の周波数の端にある。しかし、別法として、標準化帯域幅Ｎ１の両端にゼロ以外の数のＲＢ制限が存在し得る。
【００３９】
この場合も、非標準化帯域幅搬送波２０は、ＰＳＳ／ＳＳＳと標準化帯域幅Ｎ１の中央の６つのＲＢ内のＭＩＢを含むＰＢＣＨとを含む独立型搬送波である。したがって、非対称的ＲＢ制限により、ＰＳＳ／ＳＳＳおよびＰＢＣＨは、非標準化帯域幅Ｎ３の中央からオフセットされる。ＣＳＩ−ＲＳ、および、いくつかの実施形態で、ｅＳＳは、非標準化帯域幅搬送波２０の全帯域幅にわたる。
【００４０】
以下に論じるように、ワイヤレスデバイス１４が、ＰＳＳ／ＳＳＳを使用して非標準化帯域幅搬送波２０を最初に取得し、ＰＢＣＨまたはｅＰＢＣＨでＭＩＢを読み取るとき、ワイヤレスデバイス１４は、標準化帯域幅Ｎ１を伝達するまたは示す情報を受信する。一実施形態で、標準化帯域幅Ｎ１は、基地局１２からのダウンリンク搬送波のシステム帯域幅としてＭＩＢ内で提供される。加えてまたは別法として、標準化帯域幅は、ＳＩＢによって直接提供され得るまたは、たとえば、非標準化帯域幅搬送波２０で送信される信号内で符号化され得る（たとえば、ＰＳＳ／ＳＳＳシーケンスで符号化される）。
【００４１】
標準化帯域幅Ｎ１を指示する情報に加えて、ワイヤレスデバイス１４は、非対称的ＲＢ制限を伝えるまたは指示する追加の情報を受信する。標準化帯域幅を指示する情報とともに、非対称的ＲＢ制限を指示する情報は、非標準化帯域幅搬送波２０の非標準化帯域幅Ｎ３を定義する。非対称的ＲＢ制限を指示する追加の情報は、たとえば、ＭＩＢに含まれ得る、ＳＩＢに含まれ得る、または非標準化帯域幅搬送波２０で送信される信号内で符号化され得る。本例では、追加の情報は、非対称的ＲＢ制限が、標準化帯域幅Ｎ１を１０ＭＨｚから７．５ＭＨｚに順に制限して、それによって非標準化帯域幅Ｎ３を定義する、標準化帯域幅Ｎ１の上方の周波数の端にある１２ＲＢの制限であることを指示する。ワイヤレスデバイス１４は、次いで、１０ＭＨｚ（５０ＲＢ）の帯域幅を有する標準化帯域幅搬送波の代わりに７．５ＭＨｚ（３８ＲＢ）の帯域幅を有する非標準化帯域幅搬送波２０を受信することを期待する。
【００４２】
本実施形態では、非対称的ＲＢ制限は、ＲＳ（たとえば、ＣＳＩ−ＲＳ、ｅＳＳなど）を含むすべての信号が、制限されたＲＢでは送信されないことを意味するとワイヤレスデバイス１４によって解釈される。したがって、非対称的ＲＢ制限は、黙示的に複数の信号の帯域幅を構成する。また、前述のように、一実施形態で、基地局１２は、ダウンリンクのシステム帯域幅のための既存のフィールド（たとえば、ＭＩＢ）で標準化帯域幅を指示する情報を送信する。これは、そのシグナリングが、既存の標準化帯域幅のみを現在サポートするワイヤレスデバイス１６などのワイヤレスデバイスに後方互換性を有することを可能にする。
【００４３】
前述の実施形態では、非対称的帯域幅制限が使用されて標準化帯域幅Ｎ１を調整して非標準化帯域幅Ｎ３を提供する。しかし、もう１つの実施形態で、非対称的帯域幅調整は、より大きな非標準化帯域幅Ｎ３（たとえば、７．５ＭＨｚ）への標準化帯域幅Ｎ２（たとえば、５ＭＨｚ）の、非対称的帯域幅拡張として本明細書ではより一般的に呼ばれる、非対称的ＲＢ拡張である。この場合も、非標準化帯域幅搬送波２０は、ＰＳＳ／ＳＳＳと標準化帯域幅Ｎ２の中央の６つのＲＢ内のＭＩＢを含むＰＢＣＨとを含む、独立型搬送波である。ＣＳＩ−ＲＳ、および、いくつかの実施形態で、ｅＳＳは、非標準化帯域幅搬送波２０の全帯域幅にわたる。
【００４４】
以下に論じるように、ワイヤレスデバイス１４が、ＰＳＳ／ＳＳＳを使用して非標準化帯域幅搬送波２０を最初に取得し、ＰＢＣＨまたはｅＰＢＣＨでＭＩＢを読み取るとき、ワイヤレスデバイス１４は、標準化帯域幅Ｎ２を伝えるまたは指示する情報を受信する。一実施形態で、標準化帯域幅Ｎ２は、基地局１２からのダウンリンク搬送波のシステム帯域幅としてＭＩＢ内で提供される。加えてまたは別法として、標準化帯域幅は、ＳＩＢによって直接提供され得る、または、たとえば、非標準化帯域幅搬送波２０で送信される信号内で符号化され得る（たとえば、ＰＳＳ／ＳＳＳシーケンスで符号化される）。
【００４５】
標準化帯域幅Ｎ２を指示する情報に加えて、ワイヤレスデバイス１４は、非対称的ＲＢ拡張を伝えるまたは指示する追加の情報を受信する。標準化帯域幅Ｎ２を指示する情報とともに、非対称的ＲＢ拡張を指示する情報は、非標準化帯域幅搬送波２０の非標準化帯域幅Ｎ３を定義する。非対称的ＲＢ拡張を指示する追加の情報は、たとえば、ＭＩＢに含まれ得る、ＳＩＢに含まれ得る、または非標準化帯域幅搬送波２０で送信される信号内で符号化され得る。本例では、非対称的ＲＢ拡張を指示する追加の情報は、５ＭＨｚから７．５ＭＨｚに標準化帯域幅を順に拡張してそれによって非標準化帯域幅Ｎ３を定義する、標準化帯域幅Ｎ２のより低い周波数側での１２ＲＢの拡張である。ワイヤレスデバイス１４は、次いで、５ＭＨｚ（２５ＲＢ）の帯域幅を有する標準化帯域幅搬送波の代わりに、７．５ＭＨｚ（３７ＲＢ）の帯域幅を有する非標準化帯域幅搬送波２０を受信することを期待する。
【００４６】
本実施形態では、非対称的ＲＢ拡張は、ＲＳ（たとえば、ＣＳＩ−ＲＳ、ｅＳＳなど）を含む信号が拡張されたＲＢで送信されることを意味するとワイヤレスデバイス１４によって解釈される。したがって、対称的ＲＢ制限は、黙示的に複数の信号の帯域幅を構成する。また、前述のように、一実施形態で、基地局１２は、ダウンリンクのシステム帯域幅のための既存のフィールド（たとえば、ＭＩＢ）で標準化帯域幅を指示する情報を送信する。これは、そのシグナリングが、既存の標準化帯域幅のみを現在サポートするワイヤレスデバイス１６などのワイヤレスデバイスに後方互換性を有することを可能にする。さらに、以下に論じるように、非標準化帯域幅搬送波２０の標準化帯域幅Ｎ２セクションは、標準化帯域幅搬送波として、ワイヤレスデバイス１６などのレガシワイヤレスデバイスに現われ得る。
【００４７】
図９は、基地局１２が図７または図８の非標準化帯域幅搬送波２０を送信する本開示の一実施形態によるセルラ通信ネットワーク１０の動作を示す。図示するように、基地局１２は、先ず、非標準化帯域幅搬送波２０を構成する（ステップ１００）。より具体的には、一実施形態で、基地局１２は、非標準化帯域幅搬送波２０の非標準化帯域幅をともに定義する情報および追加の情報を構成する。基地局１２は、次いで、標準化帯域幅を指示する情報と、標準化帯域幅を指示する情報とともに非標準化帯域幅搬送波２０の非標準化帯域幅を定義する追加の情報とを含む、非標準化帯域幅搬送波２０を送信する（ステップ１０２）。前述のように、一実施形態で、追加の情報は、非標準化帯域幅を提供するために標準化帯域幅を調整する対称的帯域幅調整（たとえば、対称的ＲＢ制限または対称的ＲＢ拡張）を指示する。もう１つの実施形態で、追加の情報は、非標準化帯域幅を提供するために標準化帯域幅を調整する非対称的帯域幅調整（たとえば、非対称的ＲＢ制限または非対称的ＲＢ拡張）を指示する。
【００４８】
ワイヤレスデバイス１４は、非標準化帯域幅搬送波２０に同期し、標準化帯域幅搬送波を指示する情報と、標準化帯域幅を指示する情報とともに非標準化帯域幅搬送波２０の非標準化帯域幅を定義する追加の情報とを取得する（ステップ１０４）。ワイヤレスデバイス１４は、次いで、非標準化帯域幅搬送波を受信する（ステップ１０６）。具体的には、ワイヤレスデバイス１４は、ステップ１０４で取得された情報および追加の情報によって定義される非標準化帯域幅を有する搬送波として非標準化帯域幅搬送波２０を受信する。さらに、ワイヤレスデバイス１４によって見られるものとしての非標準化帯域幅搬送波２０の帯域幅は、それが標準化帯域幅の変更および／または帯域幅調整によって単純に変更され得るという点で、柔軟であることに留意されたい。
【００４９】
前述の実施形態で、非標準化帯域幅搬送波２０は、単一の独立型搬送波である。図１０は、フレキシブル帯域幅が、ダウンリンク搬送波アグリゲーション方式に従って標準化帯域幅搬送波２２および非標準化帯域幅搬送波２４をアグリゲーションすることによって達成される、一実施形態を示す。図示された実施形態で、標準化帯域幅搬送波２２は、本例では５ＭＨｚである、標準化帯域幅Ｎ２を有する。さらに、非標準化帯域幅搬送波２４は、本例では３ＭＨｚである、標準化帯域幅Ｎ１の非対称的ＲＢ制限を介して提供されて、本例では２．５ＭＨｚである、非標準化帯域幅Ｎ４をもたらす。非標準化帯域幅Ｎ４を有する、結果として生じる非標準化帯域幅搬送波２４は、標準化帯域幅Ｎ２を有する標準化帯域幅搬送波２２とアグリゲーションされて、本例では７．５ＭＨｚである、フレキシブル帯域幅Ｎ３を提供する。
【００５０】
本実施形態では、非標準化帯域幅搬送波２４は、ＰＳＳ／ＳＳＳと標準化帯域幅Ｎ１の中央の６つのＲＢ内のＭＩＢを含むＰＢＣＨとを有する独立型搬送波である。そのようなものとして、非標準化帯域幅搬送波２４のＰＳＳ／ＳＳＳおよびＰＢＣＨは、非標準化帯域幅搬送波２４の中央からオフセットされる。標準化帯域幅搬送波２２および非標準化帯域幅搬送波２４の両方がそれら自体のＰＳＳ／ＳＳＳおよびＰＢＣＨを有するので、標準化帯域幅搬送波２２および非標準化帯域幅搬送波２４は、同期的にまたは非同期的にアグリゲーションされ得る（すなわち、それらの２つの搬送波２２および２４は、完全に同期させられる必要はない）。非同期的アグリゲーションでは、適切な間隔が、図１０に示すように、ガード帯域を介して２つの搬送波２２と２４の間に作成される。図１０に示す実施形態は非対称的ＲＢ制限を使用するが、非標準化帯域幅搬送波２４は、別法として、図７および８の非標準化帯域幅搬送波２０に関して前述したのと同じ方式で非対称的ＲＢ拡張、対称的ＲＢ制限、または対称的ＲＢ拡張を介して提供され得る。
【００５１】
図１１は、図１０のそれと同様のもう１つの実施形態を示す。しかし、本実施形態では、非標準化帯域幅搬送波２４は、ＰＳＳ／ＳＳＳとＭＩＢを含むＰＢＣＨとを含まない。より具体的には、この特定の実施形態では、非対称的ＲＢ制限により、ＰＳＳ／ＳＳＳおよびＰＢＣＨを通常は運ぶことになるＲＢが影響を受け、ＰＳＳ／ＳＳＳおよびＰＢＣＨが非標準化帯域幅搬送波２４で送信されるのを妨げる。
【００５２】
本実施形態における非標準化帯域幅搬送波２４でのＰＳＳ／ＳＳＳおよびＰＢＣＨの欠如は、非標準化帯域幅搬送波２４が独立型モードで動作することができず、非標準化帯域幅搬送波２４は、アグリゲートされた標準化帯域幅搬送波２２で受信されるシステム情報を介してのみアクセスすることができることを暗に示す。しかし、非標準化帯域幅搬送波２４は、ある程度、アグリゲートされた標準化帯域幅搬送波２２から非同期でもよい。現在のＬＴＥ仕様で、アグリゲートされた搬送波は、それらが隣接し、全帯域幅が２０ＭＨｚ未満であるときに、時間で１３０ナノ秒（ｎｓ）未満に同期されるべきである。アグリゲートされた搬送波の間の周波数エラーは、絶対参照に関連する搬送波の周波数確度に対する耐性によって判定される。搬送波間のこの周波数エラーは、数百Ｈｚ以下である。本実施形態は、それらの間にこのレベルの時間および周波数の差を有する非同期にアグリゲートされた搬送波の動作を可能にする。
【００５３】
本実施形態では、ワイヤレスデバイス１４は、標準化帯域幅搬送波２２に先ず同期することによって、非標準化帯域幅搬送波２４についてのそれの同期参照を判定する。標準化帯域幅搬送波２２からの時間および周波数推定値が、次いで、非標準化帯域幅搬送波２４の時間および周波数推定値の判定で初期値として使用される。加えて、標準化帯域幅搬送波２２はまた、非標準化帯域幅搬送波２４の非標準化帯域幅をともに定義する標準化帯域幅および帯域幅調整をシグナリングするために使用される。ＰＳＳ／ＳＳＳの存在はまた、非標準化帯域幅搬送波２４で直接構成することができ、そのような場合、非標準化帯域幅搬送波２４の非標準化帯域幅は、図８のように構築された搬送波２４に関して前述したように、標準化帯域幅および帯域幅調整によって与えられ得る。２つの搬送波２２および２４からの送信された信号のタイミングおよび周波数のわずかな差により、非標準化帯域幅搬送波２４上のｅＳＳは、もしあれば、非標準化帯域幅搬送波２４でのタイミングおよび周波数同期を正確に判定するのに十分な解像度を提供する。保護期間は、２つの搬送波２２および２４の非同期的アグリゲーションの標準値に設定することができる。
【００５４】
図１２Ａおよび図１２Ｂは、アグリゲートされた搬送波２２および２４の実施形態を示し、２つの搬送波２２および２４は、本開示のもう１つの実施形態に従って同期される。より具体的には、図１２Ａは、図１１のそれと同様のアグリゲートされた搬送波２２および２４の一実施形態を示すが、２つの搬送波２２および２４は、同期される。図１２Ｂは、図１０のそれと同様のアグリゲートされた搬送波２２および２４の一実施形態を示すが、２つの搬送波２２および２４は、同期される。ＬＴＥでは、そのような同期は、搬送波２２および２４の両方の副搬送波が同じ１５キロヘルツ（ｋＨｚ）周波数間隔グリッドにあり、搬送波２２および２４の両方が同無線ユニットから送信されるときに、達成することができる。したがって、２つの搬送波２２と２４の間の保護間隔は、本例に示すように、減らすこと、または、取り除くことも可能である。
【００５５】
基地局１２は、基地局１２に接続された、ワイヤレスデバイス１４および／または１６など、ワイヤレスデバイスに向けて作り出される隣接チャネル選択性（ＡＣＳ：Ａｄｊａｃｅｎｔ  Ｃｈａｎｎｅｌ  Ｓｅｌｅｃｔｉｖｉｔｙ）干渉を限定するために、および／または、同様のダウンリンクセル構成を有する周辺の基地局に接続されたワイヤレスデバイスを保護するために、２つの搬送波２２と２４の間に一時的ガード帯域を作成することができることに留意されたい。それらがスケジューリングによって作成されるとき、ガード帯域幅は、すべてのサブフレーム内には存在せず、ある特定のサブフレーム内のみに存在してもよい。ガード帯域の存在は、セルの間で調整することもできる。
【００５６】
図１３は、基地局１２が、図１０、図１１、または図１２Ａおよび図１２Ｂのそれらなどのアグリゲートされた搬送波２２および２４を送信する、本開示の一実施形態によるセルラ通信ネットワーク１０の動作を示す。図示するように、基地局１２は、先ず、標準化帯域幅搬送波２２および非標準化帯域幅搬送波２４を構成する（ステップ２００）。より具体的には、一実施形態で、基地局１２は、非標準化帯域幅搬送波２４の非標準化帯域幅をともに定義する情報および追加の情報を構成する。基地局１２は、次いで、標準化帯域幅を指示する情報と、標準化帯域幅を指示する情報とともに非標準化帯域幅搬送波２４の非標準化帯域幅を定義する追加の情報とを含む、標準化帯域幅搬送波２２および非標準化帯域幅搬送波２４を送信する（ステップ２０２）。
【００５７】
前述のように、一実施形態で、追加の情報は、非標準化帯域幅を提供するために標準化帯域幅を調整する対称的帯域幅調整（たとえば、対称的ＲＢ制限または対称的ＲＢ拡張）を指示する。もう１つの実施形態で、追加の情報は、非標準化帯域幅を提供するために標準化帯域幅を調整する非対称的帯域幅調整（たとえば、非対称的ＲＢ制限または非対称的ＲＢ拡張）を指示する。さらに、具体的な実施形態に応じて、情報および追加の情報が、標準化帯域幅搬送波２２で（たとえば、標準化帯域幅搬送波２２のＭＩＢで）、または非標準化帯域幅搬送波２４で（たとえば、図１０または図１２Ｂの非標準化帯域幅搬送波２４のＭＩＢで）、送信され得る。
【００５８】
ワイヤレスデバイス１４は、標準化帯域幅搬送波２２、および、いくつかの実施形態で、非標準化帯域幅搬送波２４に同期し、標準化帯域幅を指示する情報と、標準化帯域幅を指示する情報とともに非標準化帯域幅搬送波２４の非標準化帯域幅を定義する追加の情報とを取得する（ステップ２０４）。ワイヤレスデバイス１４は、次いで、標準化帯域幅搬送波２２および非標準化帯域幅搬送波２４を受信する（ステップ２０６）。具体的には、ワイヤレスデバイス１４は、標準化帯域幅搬送波２２と、ステップ２０４で取得された情報および追加の情報によって定義される非標準化帯域幅を有する搬送波としての非標準化帯域幅搬送波２４とを受信する。ワイヤレスデバイス１４は、次いで、所望のダウンリンク搬送波アグリゲーション方式に従って、受信された搬送波２２および２４を処理することができる。さらに、ワイヤレスデバイス１４によって見られるものとしての非標準化帯域幅搬送波２４の帯域幅は、それが標準化帯域幅の変更および／または帯域幅調整によって単純に変更され得るという点で、柔軟であることに留意されたい。
【００５９】
したがって、本論考は、非標準化帯域幅搬送波をサポートするワイヤレスデバイス１４への非標準化帯域幅搬送波の提供に焦点を合わせる。しかし、いくつかの実施形態で、基地局１２は、非標準化帯域幅搬送波の１セクションがワイヤレスデバイス１６（および、非標準化帯域幅搬送波をサポートしない他のデバイス）に標準化帯域幅搬送波として現われるような方式で、非標準化帯域幅搬送波を提供する。例として、図７に戻って参照すると、基地局１２は、ワイヤレスデバイス１６に、非標準化帯域幅搬送波２０の中央の５ＭＨｚセクションが５ＭＨｚ標準化帯域幅搬送波として現われるように、非標準化帯域幅搬送波２０を送信することができる。
【００６０】
この関連で、図１４は、非標準化帯域幅搬送波の１セクションがワイヤレスデバイス１６に本開示の一実施形態による標準化帯域幅搬送波として現われるように、基地局１２が非標準化帯域幅搬送波を送信する、セルラ通信ネットワーク１０の動作を示す。図示するように、基地局１２は、先ず、非標準化帯域幅搬送波を構成する（ステップ３００）。より具体的には、一実施形態で、標準化帯域幅セクションがワイヤレスデバイス１６（および他のそのようなワイヤレスデバイス）に標準化帯域幅搬送波として現われるように、基地局１２は、非標準化帯域幅搬送波の標準化帯域幅セクションがＰＳＳ／ＳＳＳおよびＰＢＣＨの中心にあるように、非標準化帯域幅搬送波を構成する。特に、ＥＰＤＣＣＨが含まれる場合、ＥＰＤＣＣＨの共通探索スペースは、ワイヤレスデバイス１６（および他のそのようなワイヤレスデバイス）がＳＩＢを受信することができるような、この標準化帯域幅セクションの範囲内に留められる。
【００６１】
特定の一実施形態で、基地局１２は、ＭＩＢ内のシステム帯域幅情報フィールドを非標準化帯域幅搬送波の標準化帯域幅セクションに望まれる標準化帯域幅にセットすることによって、非標準化帯域幅搬送波を構成する。加えて、ＭＩＢ内の１つまたは複数の追加のフィールドが、非標準化帯域幅搬送波をサポートする、ワイヤレスデバイス１４など、ワイヤレスデバイスに非標準化帯域幅搬送波の非標準化帯域幅を伝えるために使用される。一実施形態で、ＭＩＢの追加のフィールドが、システム帯域幅情報フィールドで伝えられる標準化帯域幅とともに非標準化帯域幅搬送波の非標準化帯域幅を定義する対称的帯域幅拡張を伝えるために使用される。たとえば、図７に戻り簡単に参照すると、ＭＩＢのシステム帯域幅情報フィールドは、Ｎ２にセットすることができ、ＭＩＢの追加のフィールドは、スペクトルの各端の６つのＲＢの対称的帯域幅拡張を伝え、それによって、非標準化帯域幅Ｎ３を伝えることができる。ＰＳＳ／ＳＳＳおよびＰＢＣＨは、標準化帯域幅Ｎ２セクションが標準化帯域幅搬送波として現われるように、この標準化帯域幅Ｎ２セクション内で中心に置かれる。
【００６２】
もう１つの実施形態で、基地局１２は、ＭＩＢ内のシステム帯域幅情報フィールドを非標準化帯域幅搬送波の標準化帯域幅セクションに望まれる標準化帯域幅にセットすることによって、非標準化帯域幅搬送波を構成する。加えて、基地局１２は、標準化帯域幅を伝えた情報を送信し、そして、標準化帯域幅を伝える情報とともに非標準化帯域幅を定義する帯域幅調整を伝える追加の情報が、ＭＩＢ内またはＭＩＢ外部のいずれかでシステム帯域幅情報フィールドから別個に伝えられ得る。たとえば、再び図７に戻り簡単に参照すると、ＭＩＢのシステム帯域幅情報フィールドは、Ｎ２にセットすることができる。次いで、基地局１２は、標準化帯域幅Ｎ１と標準化帯域幅Ｎ１のスペクトルの各端の６つのＲＢの対称的ＲＢ制限とを送信し、それによって、非標準化帯域幅Ｎ３を伝えることができる。前述のように、標準化帯域幅Ｎ１および対称的ＲＢ制限を指示する情報は、ＭＩＢで送信する、ＳＩＢで送信する、または非標準化帯域幅搬送波（たとえば、ＰＳＳ／ＳＳＳ）で送信される信号に符号化することができる。この場合も、ＰＳＳ／ＳＳＳおよびＰＢＣＨは、このセクションが標準化帯域幅搬送波として現われるように、標準化帯域幅Ｎ２セクション内の中心に置かれる。
【００６３】
さらに、一実施形態で、非標準化帯域幅搬送波を構成するとき、基地局１２は、所定の一連の規則に従ってＥＰＤＣＣＨ共通探索スペース（ＥＰＤＣＣＨが送信されることになると仮定して）を構成する。一例として、ＬＴＥでは、ＥＰＤＣＣＨ共通探索スペースの帯域幅は、非標準化帯域幅搬送波の非標準化帯域幅よりも小さい６ＰＲＢ、１５ＰＲＢ、２５ＰＲＢ、７５ＰＲＢ、および１００ＰＲＢからの最大値である。標準化帯域幅セクションが、非標準化帯域幅搬送波の非標準化帯域幅より小さい最大標準化帯域幅と等しい帯域幅を有すると仮定して、ＥＰＤＣＣＨ共通探索スペースは、標準化帯域幅セクションの範囲内に留められる。
【００６４】
基地局１２は、次いで、ステップ３００で構成された非標準化帯域幅搬送波を送信する（ステップ３０２）。ワイヤレスデバイス１６は、非標準化帯域幅搬送波に同期し、非標準化帯域幅搬送波の標準化帯域幅セクションの標準化帯域幅を指示する情報を取得する（ステップ３０４）。好ましくは、ワイヤレスデバイス１６は、非標準化帯域幅を意識せず、その代わりに、標準化帯域幅セクションのみを標準化帯域幅搬送波として見る。ワイヤレスデバイス１６は、次いで、標準化帯域幅搬送波として非標準化帯域幅搬送波の標準化帯域幅セクションを受信する（ステップ３０６）。
【００６５】
本明細書で開示されるフレキシブル帯域幅搬送波はまた、異なるワイヤレスデバイス１４に異なる変化する帯域幅搬送波を提供するために使用することができる。この関連で、図１５は、基地局１２が、本開示の一実施形態に従って異なるワイヤレスデバイスに異なる帯域幅を提供することを可能にされた、セルラ通信ネットワーク１０の動作を示す。具体的には、図１５は、ワイヤレスデバイス１４によって見られる帯域幅がワイヤレスデバイス１４の能力に従って提供される、基地局１２による新しい搬送波獲得手順を示す。基地局１２が、フレキシブル帯域幅搬送波を送信する（ステップ４００）。ワイヤレスデバイス１４は、基地局１２によって送信されるフレキシブル帯域幅搬送波のＰＳＳ／ＳＳＳに同期し、ＰＢＣＨからシステム情報（たとえば、ＭＩＢ）を読み取る（ステップ４０２）。
【００６６】
次いで、現在行われるようにシステム帯域幅情報フィールドを使用してフレキシブル帯域幅搬送波のシステム帯域幅を判定する代わりに、ワイヤレスデバイス１４は、先ず、ワイヤレスデバイス１４の帯域幅能力に関する情報を有する基地局１２にランダムアクセス送信を送る。（ステップ４０４）。ワイヤレスデバイス１４はまた、最初に、フレキシブル帯域幅搬送波の最初の標準化帯域幅セクションを標準帯域幅搬送波として受信することができ、その最初の標準化帯域幅セクションの帯域幅は、ＭＩＢのシステム帯域幅情報フィールドで指示されることに留意されたい。ランダムアクセス送信は、ダウンリンク内の中央の６つのＲＢで受信されるＰＳＳ／ＳＳＳ信号に関連してアップリンクの所定の時間周波数領域で送られる。ワイヤレスデバイス１４の帯域幅能力に関する情報は、もしあれば、どの非標準化帯域幅がワイヤレスデバイス１４によってサポートされるかを指示するまたは伝える情報を含む。帯域幅能力に関する情報は、ワイヤレスデバイス１４の帯域幅能力に対応するランダムアクセス送信中のある一定のプリアンブルシーケンス（たとえば、ワイヤレスデバイス１４が非標準化帯域幅をサポートするかどうか、そして、サポートする場合、ワイヤレスデバイス１４によってサポートされる最大非標準帯域幅）、ワイヤレスデバイス１４の帯域幅能力を指示するランダムアクセスメッセージ、ある一定の帯域幅能力または一群の帯域幅能力を指示する情報、所定の帯域幅能力を有するワイヤレスデバイス群を指示する情報などでもよい。重要なことには、ワイヤレスデバイス能力は、ワイヤレスデバイスによって異なり得る。
【００６７】
基地局１２が、ワイヤレスデバイス１４の帯域幅能力に関する情報を受信し、ワイヤレスデバイス１４のために選択されたシステム帯域幅を次の制御メッセージでワイヤレスデバイス１４に送信する（ステップ４０６）。ワイヤレスデバイス１４は、次いで、ワイヤレスデバイス１４のために基地局１２によって選択されたシステム帯域幅によるフレキシブル帯域幅搬送波を受信する（ステップ４０８）。より具体的には、ワイヤレスデバイス１４は、ワイヤレスデバイス１４のために基地局１２によって選択されたシステム帯域幅によって指示される帯域幅を有する搬送波として非標準化帯域幅搬送波のセクションまたは全部を受信する。本実施形態は、前述のオペレータの問題の多くを解決する。たとえば、レガシ技術を使用したそれらのスペクトルのリファーミングに関心のあるオペレータは、ＬＴＥ搬送波の帯域幅が増大して、オペレータのスペクトルの大半を占有するときに、システムに存在する最初のワイヤレスデバイスが搬送波にアクセスすることができなくなるという心配なしに、ＬＴＥに割り当てられるスペクトルの部分を徐々に増やすことができる。
【００６８】
前述の論考は、非標準化またはフレキシブル帯域幅搬送波を送信する単一の基地局１２に第一に焦点を合わせるが、図１６は、異なる非対称的ＲＢ制限がＰＳＳ／ＳＳＳおよびシステム情報送信への干渉を管理するために使用される、セルラ通信ネットワーク１０の一実施形態を示す。図１６に示すように、セルラ通信ネットワーク１０は、基地局１２−１から１２−７を含む。周辺の基地局１２によって送信されるＰＳＳ／ＳＳＳおよびＰＢＣＨのオフセットが、対応する搬送波の異なる、好ましくは重複しない、周波数セクションに置かれるように、異なる非対称的ＲＢ制限が、周辺の基地局１２によって使用され得る。この方式で、ＰＳＳ／ＳＳＳおよびＰＢＣＨでのセル間干渉は、軽減することができ、カバレッジは潜在的に増やされ得る。
【００６９】
前述のように、いくつかの実施形態で、標準化帯域幅を指示する情報、および、標準化帯域幅を指示する情報とともに非標準化帯域幅搬送波の非標準化帯域幅を定義する追加の情報が、ＭＩＢで送信される。一実施形態で、新しいフィールドが、ＭＩＢで導入されて、ＭＩＢで標準化システム帯域幅への帯域幅調整をシグナリングし、それによって、非標準化帯域幅を定義する。前述のように、既存の情報フィールド（すなわち、ｄｌ帯域幅）を使用する本手法は、そのシグナリングが、標準化帯域幅のみをサポートするワイヤレスデバイス１６などのワイヤレスデバイスに後方互換性を有することを可能にする。
【００７０】
一実施形態で、ｄｌ帯域幅調整は、標準化帯域幅に追加されたＰＲＢの数をシグナリングする。非限定的な一例で、ｄｌ帯域幅調整フィールドは、３ビットを割り当てられる。標準化帯域幅が６つのＰＲＢである場合、ｄｌ帯域幅調整は、１つのＰＲＢを単位として帯域幅調整をシグナリングする。標準帯域幅が１５ＰＲＢである場合、ｄｌ帯域幅調整は、２つのＰＲＢを単位として帯域幅調整をシグナリングする。標準帯域幅が２５ＰＲＢ以上である場合、ｄｌ帯域幅調整は３つのＰＲＢを単位として帯域幅調整をシグナリングする。もう１つの非限定的例で、ｄｌ帯域幅調整フィールドは、標準化帯域幅の値に応じて様々な数のビットを割り当てられる。標準化帯域幅が６ＰＲＢである場合、ｄｌ帯域幅調整は３ビットを割り当てられる。標準帯域幅が１５ＰＲＢである場合、ｄｌ帯域幅調整は４ビットを割り当てられる。標準帯域幅が２５ＰＲＢ以上である場合、ｄｌ帯域幅調整は５ビットを割り当てられる。これらのすべての場合に、ｄｌ帯域幅調整は、１つのＰＲＢを単位として帯域幅調整をシグナリングする。
【００７１】
もう１つの実施形態で、ｄｌ帯域幅調整は、標準化帯域幅から差し引かれたＰＲＢの数をシグナリングする。非限定的な一例で、ｄｌ帯域幅調整フィールドは、３ビットを割り当てられる。標準帯域幅が１５ＰＲＢである場合、ｄｌ帯域幅調整は、１つのＰＲＢを単位として帯域幅調整をシグナリングする。標準帯域幅が２５ＰＲＢである場合、ｄｌ帯域幅調整は、２つのＰＲＢを単位として帯域幅調整をシグナリングする。標準帯域幅が５０ＰＲＢ以上である場合、ｄｌ帯域幅調整は、３つのＰＲＢを単位として帯域幅調整をシグナリングする。もう１つの非限定的例で、ｄｌ帯域幅調整フィールドは、標準帯域幅の値に応じて様々な数のビットを割り当てられる。標準帯域幅が１５ＰＲＢである場合、ｄｌ帯域幅調整は、３ビットを割り当てられる。標準帯域幅が２５ＰＲＢである場合、ｄｌ帯域幅調整は、４ビットを割り当てられる。標準帯域幅が５０ＰＲＢ以上である場合、ｄｌ帯域幅調整は、５ビットを割り当てられる。これらの場合すべてで、ｄｌ帯域幅調整は、１つのＰＲＢを単位として帯域幅調整をシグナリングする。
【００７２】
第３の実施形態で、ｄｌ帯域幅調整は、標準化帯域幅に追加されるまたは標準化帯域幅から差し引かれることになるＰＲＢの数をシグナリングする。すなわち、ｄｌ帯域幅調整は、加算または減算をシグナリングするための符号付きのビットを含む。前述のビット割当て方法が、同様に適用され得る。
【００７３】
第４の実施形態で、ｄｌ帯域幅調整は、（１）標準帯域幅のより低い周波数側端、（２）標準帯域幅のより高い周波数側端、または（３）標準化帯域幅の両端のいずれかに提供されることになるＰＲＢの数をシグナリングする。前述のビット割当て方法が、同様に適用され得る。
【００７４】
さらに、いくつかの実施形態で、ＬＴＥ  Ｒｅｌ−１１および前のＬＴＥリリースで使用される従来のＭＩＢは、新しいｄｌ帯域幅調整フィールドを運ぶために、修正される。より具体的には、非限定的な一例で、ＭＩＢのレガシｐｈｉｃｈ−Ｃｏｎｆｉｇフィールドは、図１７Ａに示すように、新しいｄｌ帯域幅調整フィールドによって置き換えられる。もう１つの非限定的例で、ＭＩＢの予備ビットの部分が、図１７Ｂに示すように、新しいｄｌ帯域幅調整フィールドに割り当てられる。さらにもう１つの非限定的例で、新しいｄｌ帯域幅調整フィールドは、図１７Ｃに示すように、ＭＩＢの従来のｐｈｉｃｈ−ＣｏｎｆｉｇのビットフィールドおよびＭＩＢの予備ビットの部分を占有する。
【００７５】
図１８は、本開示の一実施形態による基地局１２のブロック図である。図示するように、基地局１２は、通信サブシステム２６、１つまたは複数の無線ユニット（図示せず）を含む無線サブシステム２８、および、処理サブシステム３０を含む。通信サブシステム２６は、概して、他のネットワークノード（たとえば、他の基地局１２）へのおよびそこからの通信を送信および受信するための、アナログの、および、いくつかの実施形態でデジタルの構成要素を含む。無線サブシステム２８は、概して、メッセージをワイヤレスデバイス１４、１６にワイヤレスに送信するおよびそこから受信するアナログの、および、いくつかの実施形態でデジタルの構成要素を含む。
【００７６】
処理サブシステム３０は、ハードウェアであるいはハードウェアおよびソフトウェアの組合せで実装される。特定の実施形態で、処理サブシステム３０は、たとえば、１つまたはいくつかの汎用または専用マイクロプロセッサ、あるいは、本明細書に記載の基地局１２の機能の一部またはすべてを実行するために適切なソフトウェアおよび／またはファームウェアでプログラムされた他のマイクロコントローラを備え得る。加えてまたは別法として、処理サブシステム３０は、本明細書に記載の基地局１２の機能の一部またはすべてを実行するように構成された様々なデジタルハードウェアブロック（たとえば、特定用途向け集積回路（ＡＳＩＣ）、１つまたは複数の既製のデジタルおよびアナログハードウェア構成要素、あるいはその組合せ）を備え得る。加えて、特定の実施形態で、基地局１２の前述の機能は、ランダムアクセスメモリ（ＲＡＭ）、読取り専用メモリ（ＲＯＭ）、磁気記憶デバイス、光記憶デバイス、または任意の他の適切なタイプのデータ記憶構成要素などの非一時的コンピュータ可読媒体に記憶されたソフトウェアまたは他の命令を実行する処理サブシステム３０によって、全体的にまたは部分的に、実装され得る。
【００７７】
図１９は、本開示の一実施形態によるワイヤレスデバイス１４のブロック図である。しかし、本開示はワイヤレスデバイス１６にも同等に適用可能であることに留意されたい。図示するように、ワイヤレスデバイス１４は、１つまたは複数の無線ユニット（図示せず）および処理サブシステム３４を含む無線サブシステム３２を含む。無線サブシステム３２は、概して、ネットワークノード（たとえば、基地局１２）および、いくつかの実施形態で、他のワイヤレスデバイス１４（たとえば、デバイス対デバイス（Ｄ２Ｄ）通信の場合）におよびからメッセーシをワイヤレスに送信および受信するためのアナログの、および、いくつかの実施形態でデジタルの構成要素を含む。
【００７８】
処理サブシステム３４は、ハードウェアであるいはハードウェアおよびソフトウェアの組合せで実装される。特定の実施形態で、処理サブシステム３４は、たとえば、１つまたはいくつかの汎用または専用マイクロプロセッサ、あるいは、本明細書に記載のワイヤレスデバイス１４の機能の一部またはすべてを実行するために適切なソフトウェアおよび／またはファームウェアでプログラムされた他のマイクロコントローラを備え得る。追加でまたは別法として、処理サブシステム３４は、本明細書に記載のワイヤレスデバイス１４の機能の一部またはすべてを実行するように構成された様々なデジタルハードウェアブロック（たとえば、１つまたは複数のＡＳＩＣ、１つまたは複数の既製のデジタルおよびアナログハードウェア構成要素、あるいはその組合せ）を備え得る。加えて、特定の実施形態で、ワイヤレスデバイス１４の前述の機能は、ＲＡＭ、ＲＯＭ、磁気記憶デバイス、光記憶デバイス、または任意の他の適切なタイプのデータ記憶構成要素などの非一時的コンピュータ可読媒体に記憶されたソフトウェアまたは他の命令を実行する処理サブシステム３４によって、全体的にまたは部分的に、実装され得る。
【００７９】
いずれかの特定の利点にまたはそれによって限定されることなく、本明細書で開示されるシステムおよび方法は、多数の利点を提供する。たとえば、本明細書で開示されるシステムおよび方法は、以下を行うためのオペレータの能力を提供する：非標準化スペクトル割当ておよび難しい共存制約を有するスペクトルをより効率的に使用する、レガシ技術を使用するそれらの既存のスペクトルをリファームしてより新しいワイヤレス技術にシームレスに移行する、すべてのワイヤレスデバイスの異なる領域内の同帯域内の異なる帯域幅でのスペクトル割当ての使用を効率的に可能にする、特定の周波数帯域で世界的に配備されたすべての帯域幅をサポートする必要なしにワイヤレスデバイスのローミング能力を高める、および／または、ワイヤレスデバイスの標準帯域幅を入手し、搬送波が将来のいつかより大きい非標準帯域幅に拡張されるときに、搬送波へのそれらのアクセスを遮断しない。
【００８０】
以下の頭字語が、本開示を通して使用される。
３ＧＰＰ    第３世代パートナーシッププロジェクト
ＡＣＫ    肯定応答
ＡＣＳ    隣接チャネル選択性
ＡＳＩＣ    特定用途向け集積回路
ＣＲＳ    共通参照シンボル
ＣＳＩ−ＲＳ    チャネル状態情報参照シンボル
Ｄ２Ｄ    デバイス対デバイス
ＤＭ−ＲＳ    復調参照シンボル
ｅＮＢ    拡張ノードＢ
ｅＰＢＣＨ    拡張物理ブロードキャストチャネル
ＥＰＤＣＣＨ    拡張物理ダウンリンク制御チャネル
ｅＳＳ    拡張同期信号
ＧＳＭ    グローバルシステムフォーモバイルコミュニケーション
ＨＡＲＱ    ハイブリッド自動再送要求
ＨｅＮＢ    ホーム拡張ノードＢ
ＨｅｔＮｅｔ    異機種ネットワーク
ｋＨｚ    キロヘルツ
ＬＴＥ    ロングタームエボリューション
ＬＴＥ  Ｒｅｌ−８    ロングタームエボリューションリリース８
ＬＴＥ  Ｒｅｌ−１０    ロングタームエボリューションリリース１０
ＬＴＥ  Ｒｅｌ−１１    ロングタームエボリューションリリース１１
ＬＴＥ  Ｒｅｌ−１２    ロングタームエボリューションリリース１２
ＭＨｚ    メガヘルツ
ＭＩＢ    マスタ情報ブロック
ｍｓ    ミリ秒
ＮＡＣＫ    否定応答
ｎｓ    ナノ秒
ＯＦＤＭ    直交周波数分割多重
ＰＢＣＨ    物理ブロードキャストチャネル
ＰＤＣＣＨ    物理ダウンリンク制御チャネル
ＰＤＳＣＨ    物理ダウンリンク共有チャネル
ＰＨＩＣＨ    物理ハイブリッド自動再送要求インディケータチャネル
ＰＲＢ    物理リソースブロック
ＰＳＳ    プライマリ同期信号
ＲＡＭ    ランダムアクセスメモリ
ＲＢ    リソースブロック
ＲＥ    リソースエレメント
ＲＯＭ    読取り専用メモリ
ＲＲＣ    無線リソース制御
ＲＳ    参照シンボル
ＳＦＮ    システムフレーム番号
ＳＩＢ    システム情報ブロック
ＳＳＳ    セカンダリ同期信号
ＵＥ    ユーザ機器
ＵＭＴＳ    ユニバーサルモバイルテレコミュニケーションシステム
【００８１】
本開示の好ましい実施形態への改良および修正が、当業者には理解されよう。すべてのそのような改良および修正は、本明細書で開示される概念の範囲および以下の特許請求の範囲内にあると考えられる。
【図１】
2016500991.tif 000003
【図２】
2016500991.tif 000004
【図３】
2016500991.tif 000005
【図４】
2016500991.tif 000006
【図５】
2016500991.tif 000007
【図６】
2016500991.tif 000008
【図７】
2016500991.tif 000009
【図８】
2016500991.tif 000010
【図９】
2016500991.tif 000011
【図１０】
2016500991.tif 000012
【図１１】
2016500991.tif 000013
【図１２Ａ】
2016500991.tif 000014
【図１２Ｂ】
2016500991.tif 000015
【図１３】
2016500991.tif 000016
【図１４】
2016500991.tif 000017
【図１５】
2016500991.tif 000018
【図１６】
2016500991.tif 000019
【図１７Ａ】
2016500991.tif 000020
【図１７Ｂ】
2016500991.tif 000021
【図１７Ｃ】
2016500991.tif 000022
【図１８】
2016500991.tif 000023
【図１９】
2016500991.tif 000024
【国際調査報告】
2016500991.tif 000025
2016500991.tif 000026
2016500991.tif 000027